(57)【特許請求の範囲】
【請求項１】
二次電池と、
外部から電力を供給されて前記二次電池を充電する充電回路と、
それぞれ電気的な光源からなる少なくとも１個の第１光源と、
前記充電回路への電力供給が停止されているときに前記二次電池を電源として各前記第１光源をそれぞれ点灯させる制御回路と、
前記二次電池と前記充電回路と前記制御回路とをそれぞれ収納するとともに各前記第１光源を保持して床面に埋込配設される器具本体とを備え、
前記器具本体は、前記床面に対して固定される固定部と、前記床面から突出する突出位置と前記床面から突出しない収納位置との間で前記固定部に対して変位可能であって各前記第１光源を保持した変位部とを有し、
各前記第１光源はそれぞれ前記変位部が前記突出位置にあるときには前記床面よりも上側に位置して前記床面に対して光を照射する向きとされており、
前記充電回路への電力供給が停止された後に前記変位部を前記収納位置から前記突出位置に変位させる駆動手段を備え、
前記駆動手段は、前記変位部を上方に付勢する圧縮コイルばねと、前記変位部が収納位置において機械的にラッチされ前記第１光源の点灯時にラッチが解除されて圧縮コイルばねのばね力により前記変位部を突出位置に変位させる構成と、を有することを特徴とする非常用照明器具。
【請求項２】
それぞれ電気的な光源からなり前記変位部に保持されて光を上方に出射させる少なくとも１個の第２光源を備え、
前記制御回路は、少なくとも前記第１光源の点灯中には各前記第２光源をそれぞれ点灯させることを特徴とする請求項１記載の非常用照明器具。
【請求項３】
外部から送信される非常信号を受信する受信回路を備え、
前記駆動手段は、前記変位部が前記収納位置にある状態で前記受信回路に前記非常信号が受信されたときには、前記変位部を前記突出位置に変位させることを特徴とする請求項１記載の非常用照明器具。
【請求項４】
外部から送信される非常信号を受信する受信回路を備え、
前記制御回路は、前記受信回路に前記非常信号が受信されたときにも、前記第２光源の点灯を開始させることを特徴とする請求項２記載の非常用照明器具。
【発明の詳細な説明】
【技術分野】
【０００１】
本発明は、非常用照明器具に関するものである。
【背景技術】
【０００２】
従来から、天井に取り付けられて停電時に点灯する非常用照明器具が提供されている（例えば、特許文献１参照）。
【先行技術文献】
【特許文献】
【０００３】
【特許文献１】特開平１０−３４０６０６号公報
【発明の概要】
【発明が解決しようとする課題】
【０００４】
火災が発生した場合、煙は天井付近に滞留することが多いため、上記のように天井に取り付けられる非常用照明器具では視認性が確保されにくい。
【０００５】
本発明は、上記事由に鑑みて為されたものであり、その目的は、火災発生時でも視認性が確保されやすい非常用照明器具を提供することにある。
【課題を解決するための手段】
【０００６】
本発明の非常用照明器具は、二次電池と、外部から電力を供給されて前記二次電池を充電する充電回路と、それぞれ電気的な光源からなる少なくとも１個の第１光源と、前記充電回路への電力供給が停止されているときに前記二次電池を電源として各前記第１光源をそれぞれ点灯させる制御回路と、前記二次電池と前記充電回路と前記制御回路とをそれぞれ収納するとともに各前記第１光源を保持して床面に埋込配設される器具本体とを備え、前記器具本体は、前記床面に対して固定される固定部と、前記床面から突出する突出位置と前記床面から突出しない収納位置との間で前記固定部に対して変位可能であって各前記第１光源を保持した変位部とを有し、各前記第１光源はそれぞれ前記変位部が前記突出位置にあるときには前記床面よりも上側に位置して前記床面に対して光を照射する向きとされており、前記充電回路への電力供給が停止された後に前記変位部を前記収納位置から前記突出位置に変位させる駆動手段を備え、前記駆動手段は、前記変位部を上方に付勢する圧縮コイルばねと、前記変位部が収納位置において機械的にラッチされ前記第１光源の点灯時にラッチが解除されて圧縮コイルばねのばね力により前記変位部を突出位置に変位させる構成と、を有することを特徴とする。
【０００９】
さらに、上記の非常用照明器具において、それぞれ電気的な光源からなり前記変位部に保持されて光を上方に出射させる少なくとも１個の第２光源を備え、前記制御回路は、少なくとも前記第１光源の点灯中には各前記第２光源をそれぞれ点灯させることが望ましい。
【００１０】
また、上記の非常用照明器具において、外部から送信される非常信号を受信する受信回路を備え、前記駆動手段は、前記変位部が前記収納位置にある状態で前記受信回路に前記非常信号が受信されたときには、前記変位部を前記突出位置に変位させることが望ましい。
【００１１】
さらに、上記の非常用照明器具において、外部から送信される非常信号を受信する受信回路を備え、前記制御回路は、前記受信回路に前記非常信号が受信されたときにも、前記第２光源の点灯を開始させることが望ましい。
【発明の効果】
【００１２】
本発明によれば、第１光源を保持した器具本体が床面に埋込配設されるので、器具本体が天井面に配設される場合に比べ、火災発生時に煙の影響を受けにくいことにより視認性が確保されやすい。
【図面の簡単な説明】
【００１３】
【図１】本発明の実施形態１を示す説明図である。
【図２】同上を示すブロック図である。
【図３】同上において床面上に露出する部位を示す斜視図である。
【図４】本発明の実施形態２を示す説明図である。
【図５】同上の変更例を示す説明図である。
【図６】同上の別の変更例を示す説明図である。
【図７】同上の更に別の変更例を示す説明図である。
【図８】同上の使用形態の一例を示す説明図である。
【図９】図８の使用形態における各非常用照明器具の動作の例を示す説明図である。
【発明を実施するための形態】
【００１４】
以下、本発明を実施するための最良の形態について、図面を参照しながら説明する。
【００１５】
（実施形態１）
図２に示すように、本実施形態の非常用照明器具１は、二次電池２と、商用電源のような外部電源９１から電力を供給されて二次電池２を充電する充電回路３と、それぞれ電気的な光源からなる複数個（図２には１個のブロックとして図示）の第１光源４と、充電回路３への電力供給が停止されているときに二次電池２を電源として第１光源４を点灯させる制御回路５とを備える。
【００１６】
第１光源４としては例えば周知の発光ダイオードを用いることができ、制御回路５は周知の直流電源回路を用いて実現できるといったように、上記各部はそれぞれ周知技術で実現可能であるので、詳細な図示並びに説明は省略する。
【００１７】
また、本実施形態は、図１に示すように、充電回路３と制御回路５とを収納したケース５０と、このケース５０と二次電池２とをそれぞれ収納するとともに第１光源４を保持して床面９２に埋込配設される器具本体６とを備える。
【００１８】
器具本体６は、収納凹部６０が上面に開口して床面９２に埋没する本体部６１と、床面９２上に突出して収納凹部６０を閉塞する蓋部６２とを有する。二次電池２とケース５０とはそれぞれ上記の収納凹部６０内に収納されている。
【００１９】
また、図３に示すように、蓋部６２は軸方向を上下方向に向けた円錐台形状であって、各第１光源４はそれぞれ蓋部６２の径方向（すなわち水平方向）に向けて保持されている。これにより、各第１光源４の光が床面９２に照射されるから、床面９２上の照度が得られる。また、蓋部６２が上記のように円錐台形状とされていることで、蓋部６２が円柱形状とされる場合に比べて使用者が蓋部６２に躓きにくくなっている。
【００２０】
上記構成によれば、天井面に配設される場合に比べ、火災発生時に煙の影響を受けにくいことにより視認性が確保されやすい。
【００２１】
（実施形態２）
本実施形態の基本構成は実施形態１と共通であるので、共通する部分については詳細な図示並びに説明を省略する。
【００２２】
本実施形態は、固定部としての本体部６１に対し、変位部としての蓋部６２が上下に変位可能となっている点が実施形態１と異なる。
【００２３】
具体的には、図４に示すように、蓋部６２は円板形状であって、実線で示すように収納凹部６０内に収納されて上面を床面９２と略面一とする位置（以下、「収納位置」と呼ぶ。）と、破線で示すように床面９２上に突出する位置（以下、「突出位置」と呼ぶ。）との間で、本体部６１に対して上下に変位可能となっている。各第１光源４はそれぞれ蓋部６２において径方向の外向きに保持されている。すなわち、蓋部６２が収納位置にあるときには、各第１光源４は、それぞれ床面９２よりも下側に位置する。また、蓋部６２が突出位置にあるときには、各第１光源４は、それぞれ床面９２よりも上側に位置し、床面９２に対して光を照射することが可能となる。
【００２４】
本体部６１に対して蓋部６２を変位させる駆動手段としては、例えば、蓋部６２に螺合するスタッドボルト７１と、制御回路５に制御されてスタッドボルト７１を駆動する電動機７２とを有する周知の送りねじ機構を用いることができる。
【００２５】
制御回路５は、通常は蓋部６２の位置を収納位置とし、第１光源４を点灯させる期間中のみ蓋部６２の位置を突出位置とするように、駆動手段を制御する。
【００２６】
上記構成によれば、蓋部６２が常に床面９２上に突出する場合に比べ、床面９２上の通行に影響を与えにくい。
【００２７】
なお、駆動手段としては、上記のような送りねじ機構のほか、図５に示すように、蓋部６２と本体部６１との間に介在して蓋部６２を上方に付勢する圧縮コイルばね７３と、蓋部６２に固定された磁性体７４と、この磁性体７４の下側において本体部６１に固定されて磁性体７４を吸引することで圧縮コイルばね７３のばね力に抗して蓋部６２を収納位置に保持する電磁石７５とを用いてもよい。電磁石７５への電力の供給は例えば外部電源９１から行われるものとする。この場合、蓋部６２を収納位置に維持するために電磁石７５への通電を継続する必要があるが、電磁石７５への電力の供給が停止されたときには確実に蓋部６２を突出位置に変位させることができる。
【００２８】
また、上記の磁性体７４と電磁石７５とに代えて、通常は蓋部６２が収納位置において機械的にラッチされ、第１光源４の点灯時にラッチが解除されて圧縮コイルばね７３のばね力により蓋部６２が突出位置に変位するという構成を採用してもよい。例えば、図６に示すように、収納位置にある蓋部６２の上側に位置することで蓋部６２の上方への変位を禁止する禁止位置（実線）と蓋部６２の突出位置への変位を禁止しない解除位置（破線）との間で変位可能なラッチ部材７６と、第１光源４の点灯時にラッチ部材７６を解除位置に変位させるラッチ駆動手段（図示せず）とを本体部６１に設ける。この場合、電磁石７５を用いる場合と比較すると、蓋部６２を突出位置から収納位置に戻す際に手動操作が必須となるものの、蓋部６２を収納位置に維持するための通電を不要として消費電力を抑えることができるという利点がある。
【００２９】
さらに、実施形態１，２のそれぞれにおいて、図７に示すように、外部電源９１からの電力供給が停止されたときに制御回路５によって点灯されてそれぞれ上方に光を出射させる少なくとも１個（図では５個）の第２光源８を、蓋部６２に保持させてもよい。各第２光源８としてはそれぞれ例えば発光ダイオードを用いることができる。このような第２光源８を設ければ、上方から見て蓋部６２の位置が分かり易くなることで、使用者が蓋部６２に躓きにくくなる。なお、第２光源８を点灯させる期間は第１光源４を点灯させる期間と一致させてもよいし、例えば第２光源８の点灯を開始させてから所定時間後に第１光源４の点灯を開始させるといったように、第２光源８の点灯期間を第１光源４の点灯期間よりも長くしてもよい。また、第２光源８の光色は第１光源４の光色と一致させてもよいが、第１光源４の光色と第２光源８の光色とを互いに異ならせてもよく、例えば、比較的に照明としての意味合いが強い第１光源４の光色を白色とするとともに、第２光源８の光色は視認性を高くするために赤色としてもよい。
【００３０】
また、外部から送信される非常信号を受信する受信回路（図示せず）を設けるとともに、外部電源９１からの給電が停止されたときだけでなく上記の受信回路に非常信号が受信されたときにも、第１光源４の点灯や変位部６２の突出位置への変位や第２光源８の点灯が行われるようにしてもよい。上記の非常信号を送信する装置としては、例えば火災報知器（図示せず）などが考えられる。上記の非常信号は、電波を媒体として無線で送受信されるものであってもよいし、有線で送受信される電気信号であってもよい。いずれの場合にも受信回路は周知技術で実現可能であるので、図示並びに詳細な説明は省略する。
【００３１】
ここで、非常用照明器具１を用いて非常口９３（図８参照）の方向を示すことを考えた場合、その方法としては、非常口９３の方向を示す表示を非常用照明器具１自体に付すという方法や、非常口９３の方向を示す表示を床面９２に付すとともに第１光源４によって照明するという方法のほか、第１光源４や第２光源８の点灯状態を用いた方法も考えられる。具体的には、図８に示すように、通路の延長方向に沿って複数個の非常用照明器具１ａ〜１ｅを直線状に並べて配置するとともに、一部（例えば１個）の非常用照明器具１ａ〜１ｅのみ他の非常用照明器具１ａ〜１ｅと点灯状態が異なる状態が維持されるように各非常用照明器具１ａ〜１ｅで点灯状態を周期的に変化させることで、あたかも光が非常口９３に向かって移動しているかのように見えるようにする。より具体的には例えば、１秒間点灯して４秒間消灯するという５秒周期の動作を、図９に示すように５個の非常用照明器具１ａ〜１ｅで点灯のタイミングが非常口９３からの距離に応じて徐々にずれるように行わせる。当然、図９の例における点灯・消灯を逆転させた動作としてもよいし、非常用照明器具１ａ〜１ｅの個数や動作の周期を上記とは異ならせてもよい。
【符号の説明】
【００３２】
１，１ａ〜１ｅ  非常用照明器具
２  二次電池
３  充電回路
４  第１光源
５  制御回路
６  器具本体
８  第２光源
６１  本体部（固定部）
６２  蓋部（変位部）
７１  スタッドボルト（駆動手段の一部）
７２  電動機（駆動手段の一部）
７３  圧縮コイルばね（駆動手段の一部）
７４  磁性体（駆動手段の一部）
７５  電磁石（駆動手段の一部）
７６  ラッチ部材（駆動手段の一部）
９２  床面
【図１】
0005853226.tif 000002
【図２】
0005853226.tif 000003
【図３】
0005853226.tif 000004
【図４】
0005853226.tif 000005
【図５】
0005853226.tif 000006
【図６】
0005853226.tif 000007
【図７】
0005853226.tif 000008
【図８】
0005853226.tif 000009
【図９】
0005853226.tif 000010